(57)【要約】【課題】着側からの要求に応じてサービスの利用を制御する。【解決手段】着側のＳ−ＣＳＣＦ１ｂは、着信先の電話端末７ｂがサービスを利用すべきでない非許容着信先に一致する場合、着信先の電話端末７ｂからの応答信号にサービスを利用しないことを示すサービスオフ情報を設定し、発側のＳ−ＣＳＣＦ１ａは、着側のＳ−ＣＳＣＦ１ｂからの応答信号にサービスオフ情報が設定されている場合、サービスオフ情報で示されたサービスを提供するアプリケーションサーバ３とメディアサーバ５との連携を停止する。【選択図】図５
2018164200.tif 000002
【特許請求の範囲】
【請求項１】
発側の呼制御サーバと着側の呼制御サーバを備えた呼制御システムにおいて、
前記着側の呼制御サーバは、
着信先の電話端末が所定の着信先に一致するかを判定する判定部と、
前記所定の着信先に一致する場合、前記着信先の電話端末からの応答信号に所定の情報要素を設定する設定部と、を備え、
前記発側の呼制御サーバは、
前記着側の呼制御サーバからの応答信号に前記情報要素が設定されているかを判定する判定部と、
前記情報要素が設定されているか否かに基づきサービスを提供するサーバとの連携処理を行うかを決定する制御部と、
を備えることを特徴とする呼制御システム。
【請求項２】
発側の呼制御サーバと着側の呼制御サーバと着信先の電話端末を備えた呼制御システムにおいて、
前記着信先の電話端末は、
応答信号に所定の情報要素を設定する設定部を備え、
前記着側の呼制御サーバは、
前記着信先の電話端末が所定の着信先に一致するかを判定する判定部と、
前記所定の着信先に一致するか否かに基づき前記着信先の電話端末からの応答信号から前記情報要素を削除するか否かを決定する削除部と、を備え、
前記発側の呼制御サーバは、
前記着側の呼制御サーバからの応答信号に前記情報要素が設定されているかを判定する判定部と、
前記情報要素が設定されているか否かに基づきサービスを提供するサーバとの連携処理を行うかを決定する制御部と、
を備えることを特徴とする呼制御システム。
【請求項３】
前記所定の着信先は、サービスを利用すべきでない非許容着信先であり、前記情報要素は、当該サービスを利用しないことを示すサービスオフ情報であって、
前記制御部は、
前記サービスオフ情報が設定されている場合、前記サービスオフ情報で示されたサービスを提供するサーバとの連携処理を停止することを特徴とする請求項１又は２に記載の呼制御システム。
【請求項４】
発側の呼制御サーバと着側の呼制御サーバで行う呼制御方法において、
前記着側の呼制御サーバは、
着信先の電話端末が所定の着信先に一致するかを判定する判定ステップと、
前記所定の着信先に一致する場合、前記着信先の電話端末からの応答信号に所定の情報要素を設定する設定ステップと、を行い、
前記発側の呼制御サーバは、
前記着側の呼制御サーバからの応答信号に前記情報要素が設定されているかを判定する判定ステップと、
前記情報要素が設定されているか否かに基づきサービスを提供するサーバとの連携処理を行うかを決定する制御ステップと、
を行うことを特徴とする呼制御方法。
【請求項５】
発側の呼制御サーバと着側の呼制御サーバと着信先の電話端末で行う呼制御方法において、
前記着信先の電話端末は、
応答信号に所定の情報要素を設定する設定ステップを行い、
前記着側の呼制御サーバは、
前記着信先の電話端末が所定の着信先に一致するかを判定する判定ステップと、
前記所定の着信先に一致するか否かに基づき前記着信先の電話端末からの応答信号から前記情報要素を削除するか否かを決定する削除ステップと、を行い、
前記発側の呼制御サーバは、
前記着側の呼制御サーバからの応答信号に前記情報要素が設定されているかを判定する判定ステップと、
前記情報要素が設定されているか否かに基づきサービスを提供するサーバとの連携処理を行うかを決定する制御ステップと、
を行うことを特徴とする呼制御方法。
【請求項６】
前記所定の着信先は、サービスを利用すべきでない非許容着信先であり、前記情報要素は、当該サービスを利用しないことを示すサービスオフ情報であって、
前記制御ステップでは、
前記サービスオフ情報が設定されている場合、前記サービスオフ情報で示されたサービスを提供するサーバとの連携処理を停止することを特徴とする請求項４又は５に記載の呼制御方法。
【発明の詳細な説明】
【技術分野】
【０００１】
本発明は、呼を制御する技術に関し、特に着側でサービスの利用を制御する技術に関する。
【背景技術】
【０００２】
現在、男声を女声へ変換する音声変換サービス等、通信中の呼に対して様々なサービスが発側サービスとして提供されている。このようなサービスはユーザの要望を満たす反面、受聴品質の低下や音声遅延の発生を招くため、緊急機関といった特定の着信者に対して接続を行う場合には、そのサービスの利用を停止し得ることが望まれる。
【先行技術文献】
【非特許文献】
【０００３】
【非特許文献１】“3rd Generation Partnership Project; Technical Specification Group Core Network and Terminals; IP multimedia call control protocol based on Session Initiation Protocol (SIP) and Session Description Protocol (SDP); Stage 3 (Release 14)”、3GPP TS 24.229、V14.2.0、2016年12月
【発明の概要】
【発明が解決しようとする課題】
【０００４】
しかしながら、非特許文献１のｉＦＣ規定では、発側のＳ−ＣＳＣＦにおいて、電話端末からＳＩＰリクエストを受信時にｉＦＣ及びＳＤＰの記述内容に基づき提供サービスを判定しており、つまり、サービスの利用決定権が発側にあるため、上述した特定の着信先からのサービス利用停止の要望に応えることができなかった。
【０００５】
本発明は、上記事情を鑑みてなされたものであり、着側からの要求に応じてサービスの利用を制御することを目的とする。
【課題を解決するための手段】
【０００６】
以上の課題を解決するため、請求項１に係る呼制御システムは、発側の呼制御サーバと着側の呼制御サーバを備えた呼制御システムにおいて、前記着側の呼制御サーバは、着信先の電話端末が所定の着信先に一致するかを判定する判定部と、前記所定の着信先に一致する場合、前記着信先の電話端末からの応答信号に所定の情報要素を設定する設定部と、を備え、前記発側の呼制御サーバは、前記着側の呼制御サーバからの応答信号に前記情報要素が設定されているかを判定する判定部と、前記情報要素が設定されているか否かに基づきサービスを提供するサーバとの連携処理を行うかを決定する制御部と、を備えることを特徴とする。
【０００７】
請求項２に係る呼制御システムは、発側の呼制御サーバと着側の呼制御サーバと着信先の電話端末を備えた呼制御システムにおいて、前記着信先の電話端末は、応答信号に所定の情報要素を設定する設定部を備え、前記着側の呼制御サーバは、前記着信先の電話端末が所定の着信先に一致するかを判定する判定部と、前記所定の着信先に一致するか否かに基づき前記着信先の電話端末からの応答信号から前記情報要素を削除するか否かを決定する削除部と、を備え、前記発側の呼制御サーバは、前記着側の呼制御サーバからの応答信号に前記情報要素が設定されているかを判定する判定部と、前記情報要素が設定されているか否かに基づきサービスを提供するサーバとの連携処理を行うかを決定する制御部と、を備えることを特徴とする。
【０００８】
請求項３に係る呼制御システムは、請求項１又は２に記載の呼制御システムにおいて、前記所定の着信先は、サービスを利用すべきでない非許容着信先であり、前記情報要素は、当該サービスを利用しないことを示すサービスオフ情報であって、前記制御部は、前記サービスオフ情報が設定されている場合、前記サービスオフ情報で示されたサービスを提供するサーバとの連携処理を停止することを特徴とする。
【０００９】
請求項４に係る呼制御方法は、発側の呼制御サーバと着側の呼制御サーバで行う呼制御方法において、前記着側の呼制御サーバは、着信先の電話端末が所定の着信先に一致するかを判定する判定ステップと、前記所定の着信先に一致する場合、前記着信先の電話端末からの応答信号に所定の情報要素を設定する設定ステップと、を行い、前記発側の呼制御サーバは、前記着側の呼制御サーバからの応答信号に前記情報要素が設定されているかを判定する判定ステップと、前記情報要素が設定されているか否かに基づきサービスを提供するサーバとの連携処理を行うかを決定する制御ステップと、を行うことを特徴とする。
【００１０】
請求項５に係る呼制御方法は、発側の呼制御サーバと着側の呼制御サーバと着信先の電話端末で行う呼制御方法において、前記着信先の電話端末は、応答信号に所定の情報要素を設定する設定ステップを行い、前記着側の呼制御サーバは、前記着信先の電話端末が所定の着信先に一致するかを判定する判定ステップと、前記所定の着信先に一致するか否かに基づき前記着信先の電話端末からの応答信号から前記情報要素を削除するか否かを決定する削除ステップと、を行い、前記発側の呼制御サーバは、前記着側の呼制御サーバからの応答信号に前記情報要素が設定されているかを判定する判定ステップと、前記情報要素が設定されているか否かに基づきサービスを提供するサーバとの連携処理を行うかを決定する制御ステップと、を行うことを特徴とする。
【００１１】
請求項６に係る呼制御方法は、請求項４又は５に記載の呼制御方法において、前記所定の着信先は、サービスを利用すべきでない非許容着信先であり、前記情報要素は、当該サービスを利用しないことを示すサービスオフ情報であって、前記制御ステップでは、前記サービスオフ情報が設定されている場合、前記サービスオフ情報で示されたサービスを提供するサーバとの連携処理を停止することを特徴とする。
【発明の効果】
【００１２】
本発明によれば、着側からの要求に応じてサービスの利用を制御することができる。
【図面の簡単な説明】
【００１３】
【図１】呼制御システムの全体構成を示す図である。
【図２】発側のＳ−ＣＳＣＦの機能ブロック構成を示す図である。
【図３】着側のＳ−ＣＳＣＦの機能ブロック構成を示す図である。
【図４】着側の電話端末の機能ブロック構成を示す図である。
【図５】呼制御システムの処理シーケンスを示す図である。
【図６】呼制御システムの処理シーケンスを示す図である。
【図７】本発明の効果を説明する際の参照図である。
【発明を実施するための形態】
【００１４】
本発明は、上述した課題を解決するため、発側のＳ−ＣＳＣＦでは、特定の着信者のみが設定可能な情報要素を受信した際に、その情報要素の値がサービスの起動抑止を要望することを示す場合、そのサービスを提供するアプリケーションサーバに対して以降のＳＩＰメッセージを送信しないようにする。以下、本発明を実施する一実施の形態について図面を用いて説明する。
【００１５】
本実施の形態に係る呼制御システムの全体構成を図１に示す。この呼制御システム１００は、発側のＳ−ＣＳＣＦ１ａ、着側のＳ−ＣＳＣＦ１ｂ、アプリケーションサーバ３、メディアサーバ５、発側の電話端末７ａ、及び着側の電話端末７ｂを備えて構成される。
【００１６】
発側のＳ−ＣＳＣＦ１ａは、呼制御システム１００において、自装置が収容する発側の電話端末７ａからのＳＩＰ信号を着側のＳ−ＣＳＣＦ１ｂへ転送し、発側の電話端末７ａと着側の電話端末７ｂとの間で呼のセッションを確立する呼制御サーバである。本実施の形態では、図２に示すように、判定部１１ａ、及び制御部１２ａを備えて構成される。
【００１７】
判定部１１ａは、着側のＳ−ＣＳＣＦ１ｂからの応答信号に、サービスを使用しないことを示すサービスオフ情報（前述の情報要素）が設定されているか否かを判定する機能部である。
【００１８】
制御部１２ａは、その応答信号にサービスオフ情報が設定されているか否かに基づきサービスを提供するアプリケーションサーバ３との連携処理を行うかを決定し、その決定結果に基づきＳＩＰ信号を処理する機能部である。
【００１９】
具体的には、制御部１２ａは、応答信号にサービスオフ情報が設定されている場合、そのサービスオフ情報で示されたサービスを提供するアプリケーションサーバ３との連携を停止して、その応答信号及び該応答信号に係る以降の全てのＳＩＰ信号を制御する。
【００２０】
一方、応答信号にサービスオフ情報が設定されていない場合、制御部１２ａは、従前のｉＦＣの規定と同様に、ｉＦＣ及びＳＤＰの記述内容に基づきサービスを提供するアプリケーションサーバ３との連携を継続して、その応答信号及び該応答信号に係る以降の全てのＳＩＰ信号を制御する。
【００２１】
次に、着側のＳ−ＣＳＣＦ１ｂについて説明する。着側のＳ−ＣＳＣＦ１ｂは、呼制御システム１００において、発側のＳ−ＣＳＣＦ１ａから転送されたＳＩＰ信号を自装置が収容する着側の電話端末７ｂへ送信し、着側の電話端末７ｂと発側の電話端末７ａとの間で呼のセッションを確立する呼制御サーバである。本実施の形態では、図３に示すように、判定部１１ｂ、設定部１２ｂ、削除部１３ｂ、及び記憶部１４ｂを備えて構成される。
【００２２】
判定部１１ｂは、記憶部１４ｂに記憶されている非許容着信先リストを参照し、着信先の電話端末７ｂがサービスを利用すべきでない非許容着信先に一致するか否かを判定する機能部である。
【００２３】
設定部１２ｂは、着信先の電話端末７ｂが非許容着信先に一致する場合、その電話端末７ｂからの応答信号にサービスオフ情報を設定し、一方、その電話端末７ｂが非許容着信先に一致しない場合、その応答信号にサービスオフ情報を設定しない機能部である。
【００２４】
削除部１３ｂは、着信先の電話端末７ｂが非許容着信先に一致するか否かに基づき、着信先の電話端末７ｂからの応答信号からサービスオフ情報を削除するか否かを決定し、その決定結果に基づき応答信号からサービスオフ情報を削除する又は削除しない機能部である。
【００２５】
具体的には、削除部１３ｂは、着信先の電話端末７ｂが非許容着信先に一致する場合、その電話端末７ｂからの応答信号にサービスオフ情報が設定されていれば、その応答信号からサービスオフ情報を削除せず、一方、その電話端末７ｂが非許容着信先に一致しない場合、その応答信号からサービスオフ情報を削除する。
【００２６】
記憶部１４ｂは、サービスを利用すべきでない非許容着信先が登録された非許容着信先リストを記憶しておく機能部である。非許容着信先とは、例えば、警察、消防、緊急機関等、受聴品質の低下や音声遅延の発生が好ましくない着信先の電話番号、政府又は行政機関等からサービスを利用しない旨の指定、許可、認可等を受けた着信先の電話番号である。Ｓ−ＣＳＣＦ１ｂは、記憶部１４ｂに対して外部からアクセス可能であり非許容着信先を登録するためのインタフェースを備える。
【００２７】
ここまで、発側のＳ−ＣＳＣＦ１ａと着側のＳ−ＣＳＣＦ１ｂの備える機能について説明した。但し、Ｓ−ＣＳＣＦ１ａ及びＳ−ＣＳＣＦ１ｂは、上述した機能部のほか、ＳＩＰ信号等を送受信する通信部、ＳＩＰ信号に含まれるデータを格納する記憶部、更には３ＧＰＰで規定された処理を行う従前の機能部を備えている。なお、Ｓ−ＣＳＣＦは「Serving Call Session Control Function」、ｉＦＣは「Initial Filter Criteria」、ＳＤＰは「Session Description Protocol」、ＳＩＰは「Session Initiation Protocol」の略称である。
【００２８】
次に、アプリケーションサーバ３とメディアサーバ５の備える機能について説明する。アプリケーションサーバ３及びメディアサーバ５は、ＩＰマルチメディアサブシステムが備える従前のアプリケーションサーバ群である。
【００２９】
アプリケーションサーバ３は、様々なサービスプログラムをサービスＩＤに関連付けて保持しており、発側のＳ−ＣＳＣＦ１ａからの要求に基づき特定のサービスプログラムを起動し又は起動中の特定のサービスプログラムを選択して、その特定のサービスを発側の電話端末７ａと着側の電話端末７ｂへ提供するサーバである。例えば、アプリケーションサーバ３は、男声を女声へ変換する音声変換サービスを提供する。
【００３０】
メディアサーバ５は、様々なメディアデータを保持しており、発側のＳ−ＣＳＣＦ１ａからの要求に基づく特定のサービスで用いるメディアデータをアプリケーションサーバ３と連携して提供するサーバである。例えば、メディアサーバ５は、音声ガイダンス、映像データ、リングバックトーンを提供する。
【００３１】
次に、発側の電話端末７ａと着側の電話端末７ｂについて説明する。発側の電話端末７ａ及び着側の電話端末７ｂは、発側のＳ−ＣＳＣＦ１ａと着側のＳ−ＣＳＣＦ１ｂを介して確立された呼のセッションを通じて、ユーザの音声情報を相互に交換可能な従前の電話端末である。例えば、スマートフォン、パソコン、テレビ会議端末である。
【００３２】
但し、着側の電話端末７ｂについては、本実施の形態では、図４に示すように、設定部７１を備えて構成される。設定部７１は、着側のＳ−ＣＳＣＦ１ｂからＳＩＰ信号を受信した後、そのＳＩＰ信号に応答する応答信号にサービスオフ情報を設定する機能部である。設定部７１は、サービスを利用しないことを示す予め設定された設定情報に基づきサービスオフ情報を設定してもよいし、着信のタイミングで利用しないサービスをユーザに選択させ、その選択に基づきサービスオフ情報を設定してもよい。
【００３３】
ここまで、呼制御システム１００の備える構成について説明した。なお、着側のＳ−ＣＳＣＦ１ｂ及び着側の電話端末７ｂは、サービスオフ情報として、利用しないサービスを１種類のみならず、複数種類のサービスを設定可能である。例えば、着側の電話端末７ｂは、ユーザの選択又は指定した２つ以上のサービスのサービスオフ情報のみを設定してもよい。
【００３４】
次に、本実施の形態に係る呼制御システム１００で行う呼制御方法について説明する。本実施の形態では、特定の着信先からの要求に応じてサービスの利用停止を行うため、（１）サービスオフ情報を着側のＳ−ＣＳＣＦ１ｂで設定する場合、（２）サービスオフ情報を着側の電話端末７ｂで設定する場合、について説明する。
【００３５】
最初に、サービスオフ情報を着側のＳ−ＣＳＣＦ１ｂで設定する場合について説明する。この場合に基づく処理シーケンスを図５に示す。
【００３６】
まず、電話端末７ａのユーザが電話端末７ｂとの通話接続を開始すると、電話端末７ａは、その電話端末７ｂ宛てのＩＮＶＩＴＥ信号を収容先のＳ−ＣＳＣＦ１ａへ送信する（ステップＳ１）。
【００３７】
次に、Ｓ−ＣＳＣＦ１ａは、電話端末７ａからＩＮＶＩＴＥ信号を受信した後、その電話端末７ａのユーザに対応するｉＦＣとＩＮＶＩＴＥ信号に含まれるＳＤＰとを参照して、起動するサービスプログラムを判定し、提供するサービス特定する（ステップＳ２）。
【００３８】
なお、ｉＦＣは、ＩＰマルチメディアサブシステムで電話番号ごとにＨＳＳに登録されているデータであり、どのような場合にサービスを提供する特定のアプリケーションサーバ又はサービスプログラムを利用するのかを決定するためユーザ関連情報の組み合わせが定義されている。つまり、ｉＦＣとは、提供するサービスを特定するためのトリガー情報であり、Ｓ−ＣＳＣＦ１ａは、ｉＦＣとＳＤＰの記述内容を基に提供するサービスを特定することができる。
【００３９】
次に、Ｓ−ＣＳＣＦ１ａは、ステップＳ２で特定したサービスを提供するアプリケーションサーバ３に対してＩＮＶＩＴＥ信号を送信すると、そのアプリケーションサーバ３を介してメディアサーバ５から返信されたＳＩＮＶＩＴＥ信号を受信する（ステップＳ３）。
【００４０】
次に、Ｓ−ＣＳＣＦ１ａは、着信先の電話端末７ｂを収容しているＳ−ＣＳＣＦ１ｂへＩＮＶＩＴＥ信号を転送し（ステップＳ４）、Ｓ−ＣＳＣＦ１ｂは、転送されたＩＮＶＩＴＥ信号を着信先の電話端末７ｂへ送信する（ステップＳ５）。その後、電話端末７ｂは、受信したＩＮＶＩＴＥ信号に対し、例えば「180 Ringing」の応答信号を返信する（ステップＳ６）。
【００４１】
ここまでに説明したステップＳ１〜ステップＳ６の動作は、基本的に従前の呼処理動作と同じである。
【００４２】
次に、Ｓ−ＣＳＣＦ１ｂ（判定部１１ｂ）は、着信先の電話端末７ｂから応答信号を受信した後、その電話端末７ｂの電話番号を非許容着信先リスト内の電話番号と照合し、その電話端末７ｂがサービスを利用すべきでない非許容着信先に一致するか否かを判定する（ステップＳ７）。
【００４３】
ここでは、電話端末７ｂが非許容着信先に一致すると判定されたものとし、引き続いて、Ｓ−ＣＳＣＦ１ｂ（設定部１２ｂ）は、電話端末７ｂに対してサービスの利用を停止するため、サービスオフ情報を応答信号に設定する（ステップＳ８）。例えば、「Ａ」というサービスを使用しないことを示す「FC-off : Service A」を応答信号のヘッダ部に付加する。
【００４４】
その後、Ｓ−ＣＳＣＦ１ｂは、サービスオフ情報を設定した応答信号を転送元のＳ−ＣＳＣＦ１ａへ転送する（ステップＳ９）。
【００４５】
次に、Ｓ−ＣＳＣＦ１ａ（判定部１１ａ）は、Ｓ−ＣＳＣＦ１ｂから応答信号を受信した後、その応答信号にサービスオフ情報が設定されているか否かを判定する（ステップＳ１０）。上述した例の場合、受信した応答信号に「FC-off : Service A」ヘッダが付加されているかを判定する。
【００４６】
ここでは、受信した応答信号にサービスオフ情報が設定されているため、Ｓ−ＣＳＣＦ１ａ（制御部１２ａ）は、そのサービスオフ情報で示されたサービスを提供するアプリケーションサーバとの連携を停止し、その応答信号及び該応答信号に係るＳＩＰ信号を制御する（ステップＳ１１）。
【００４７】
具体的には、上述した例の場合、Ｓ−ＣＳＣＦ１ａは、応答信号のヘッダ部に付加されている「FC-off : Service A」より「Ａ」のサービスを利用停止サービスとして特定し、ステップＳ３で接続したアプリケーションサーバ３が「Ａ」のサービスを提供するアプリケーションサーバであれば、受信していた応答信号をアプリケーションサーバ３へ送信することなく、電話端末７ａへ送信する。また、Ｓ−ＣＳＣＦ１ａは、これ以降、電話端末７ａから送信される上記応答信号に係る全てのＳＩＰ信号をアプリケーションサーバ３へ送信することなく、着側のＳ−ＣＳＣＦ１ｂへ転送する。
【００４８】
次に、サービスオフ情報を着側の電話端末７ｂで設定する場合について説明する。この場合に基づく処理シーケンスを図６に示す。図６に示したステップＳ３１〜ステップＳ３５は、図５に示したステップＳ１〜ステップＳ５の処理動作と同じである。
【００４９】
着信先の電話端末７ｂ（設定部７１）は、着側のＳ−ＣＳＣＦ１ｂからＩＮＶＩＴＥ信号を受信した後、サービスの利用を停止するため、そのＩＮＶＩＴＥ信号に応答する応答信号にサービスオフ情報を設定する（ステップＳ３６）。例えば、「Ａ」というサービスを使用しないことを示す「FC-off : Service A」を、「180 Ringing」の応答信号のヘッダ部に付加する。
【００５０】
次に、電話端末７ｂは、サービスオフ情報を設定した応答信号をＳ−ＣＳＣＦ１ｂへ返信する（ステップＳ３７）。
【００５１】
次に、Ｓ−ＣＳＣＦ１ｂ（判定部１１ｂ）は、着信先の電話端末７ｂから応答信号を受信した後、その電話端末７ｂの電話番号を非許容着信先リスト内の電話番号と照合し、その電話端末７ｂがサービスを利用すべきでない非許容着信先に一致するか否かを判定する（ステップＳ３８）。
【００５２】
ここでは、電話端末７ｂが非許容着信先に一致すると判定されたものとし、引き続いて、Ｓ−ＣＳＣＦ１ｂ（削除部１３ｂ）は、電話端末７ｂに対してサービスの利用を停止するため、受信した応答信号からサービスオフ情報を削除せず（ステップＳ３９）、サービスオフ情報が設定された応答信号をそのまま転送元のＳ−ＣＳＣＦ１ａへ転送する（ステップＳ４０）。
【００５３】
一方、電話端末７ｂが非許容着信先に一致しないと判定された場合、Ｓ−ＣＳＣＦ１ｂ（削除部１３ｂ）は、受信した応答信号からサービスオフ情報を削除して、サービスオフ情報が設定されていない応答信号を転送元のＳ−ＣＳＣＦ１ａへ転送する。
【００５４】
これ以降の図６に示したステップＳ４１〜ステップＳ４２は、図５に示したステップＳ１０〜ステップＳ１１の処理動作と同じである。具体的には、Ｓ−ＣＳＣＦ１ａは、転送された応答信号にサービスオフ情報が含まれているか否かを判定し、サービスオフ情報が設定されていれば、そのサービスオフ情報で示されたサービスを提供するアプリケーションサーバとの連携を停止し、サービスオフ情報が設定されていなければ、ｉＦＣとＳＤＰの記述内容を基に提供するサービスを特定し、そのサービスを実行するアプリケーションサーバと連携動作する。
【００５５】
以上より、着側のＳ−ＣＳＣＦ１ｂ又は着側の電話端末７ｂでサービスオフ情報を設定すると、図７に示すように、従来ではアプリケーションサーバ３とメディアサーバ５を介して行われた通信が、今回の発明ではアプリケーションサーバ３とメディアサーバ５を介することなく行われることになる。それゆえ、本実施の形態によれば、着側からの要求に応じてサービスの利用停止を行うことができる。
【００５６】
なお、サービスオフ情報は、応答信号のヘッダ部のほか、ＵＰＤＡＴＥ信号等のダイアログ内のリクエストに設定してもよい。また、サービスオフ情報としては、ＳＩＰヘッダフィールドとその値（従前にない新規に作成した新規ヘッダ又は既存ヘッダの拡張により生成）、ＳＤＰのａｔｔｒｉｂｕｔｅ等、様々な形態での実施が可能である。
【００５７】
また、サービスオフ情報は、上述したように特定のサービスの起動を抑止する用途としての利用が想定されるが、逆に、通常は起動しない特定のサービスの起動（例えば、通常は音声を録音しないが、当該サービスオフ情報に基づき録音を実施する等）を要望することに利用することも可能である。この場合には、起動するサービスを特定したサービスオン情報を情報要素として用いてもよい。
【００５８】
更に、サービスオフ情報は、特定の着信者のみが設定可能とし、その他の着信者が自由に設定し得ることを防ぐ必要があり、着側ユーザは発側ユーザに対して真正性の担保が必要である。緊急機関、政府等からその利用を許可されたユーザが想定されるが、その限りではない。
【００５９】
最後に、本実施の形態で説明した呼制御システム１００は、コンピュータで実現できる。また、呼制御システム１００としてコンピュータを機能させるための呼制御プログラム、その呼制御プログラムの記憶媒体を作成することも可能である。
【符号の説明】
【００６０】
１００…呼制御システム
１ａ…発側のＳ−ＣＳＣＦ
１ｂ…着側のＳ−ＣＳＣＦ
３…アプリケーションサーバ
５…メディアサーバ
７ａ…発側の電話端末
７ｂ…着側の電話端末
１１ａ…判定部
１２ａ…制御部
１１ｂ…判定部
１２ｂ…設定部
１３ｂ…削除部
１４ｂ…記憶部
７１…設定部
【図１】
2018164200.tif 000003
【図２】
2018164200.tif 000004
【図３】
2018164200.tif 000005
【図４】
2018164200.tif 000006
【図５】
2018164200.tif 000007
【図６】
2018164200.tif 000008
【図７】
2018164200.tif 000009